(57)【要約】【課題】本発明は、家屋内の空気を循環させて温度及び湿度をバランス良く調整する循環型空調方式を提供することを目的とするものである。【解決手段】本発明は、断熱材を設置した家屋に、天井付近の空気を吸い込むファンと、前記ファンにパイプを接続し床下までに配管した通気ダクトと、前記通気ダクトに床下で連設し分岐させて配管した床下送風管と、前記床下送風管の空気の熱を吸収又は放出して温度を調整する蓄熱コンクリートと、前記床下送風管の送気口がある位置の床に空けた空気噴出口とを設け、前記ファンと前記空気噴出口との間で家屋内の空気を循環させることを特徴とする循環型空調方式とした。【選択図】図１
2008107053.tif 000002
【特許請求の範囲】
【請求項１】
断熱材を設置した家屋に、天井付近の空気を吸い込むファンと、前記ファンにパイプを接続し床下まで配管した通気ダクトと、前記通気ダクトに床下で連設し分岐させて配管した床下送風管と、前記床下送風管の空気の熱を吸収又は放出して温度を調整する蓄熱コンクリートと、前記床下送風管の送気口がある位置の床に空けた空気噴出口とを設け、前記ファンと前記空気噴出口との間で家屋内の空気を循環させることを特徴とする循環型空調方式。
【請求項２】
パイプを床下まで垂直に配管したことを特徴とする請求項１に記載の循環型空調方式。
【請求項３】
ファンがシロッコファン又はターボファンのいずれかであることを特徴とする請求項１又は２に記載の循環型空調方式。
【発明の詳細な説明】
【技術分野】
【０００１】
本発明は、家屋内の空気を循環させて温度及び湿度をバランス良く調整する循環型空調方式に関するものである。
【背景技術】
【０００２】
冬季においては、室内を温めるために、ストーブやエアコンなどの暖房機器を利用するが、上の方は暖かいが足下は寒いというように、室内の温度にばらつきが生じてしまうことがある。
【０００３】
特許文献１に記載されているように、家屋の全床面に対し床暖房を実現し得ると同時に、室内の暖房と換気更には冷房と除湿を効率良く行うことのできる空気循環式空調型床暖房システムハウスの発明も公開されている。
【特許文献１】特開平１１−４４４３５号公報
【発明の開示】
【発明が解決しようとする課題】
【０００４】
しかしながら、特許文献１に記載の発明は、家屋の全ての階の全床面に床暖房を設置しており、さらに冬用ファンと夏用ファンを両方設置しているため、コストが大きくなってしまう。
【０００５】
そこで、本発明は、家屋内の空気を循環させて温度及び湿度をバランス良く調整する循環型空調方式を提供することを目的とするものである。
【課題を解決するための手段】
【０００６】
本発明は、上記の課題を解決するために、断熱材３、３ａ、３ｂを設置した家屋２に、天井２ｂ付近の空気６を吸い込むファン５と、前記ファン５にパイプを接続し床下２ｋまでに配管した通気ダクト５ａと、前記通気ダクト５ａに床下２ｋで連設し分岐させて配管した床下送風管５ｂと、前記床下送風管５ｂの空気６の熱を吸収又は放出して温度を調整する蓄熱コンクリート４と、前記床下送風管５ｂの送気口がある位置の床２ｅに空けた空気噴出口２ｆとを設け、前記ファン５と前記空気噴出口２ｆとの間で家屋２内の空気６を循環させることを特徴とする循環型空調方式１の構成とした。
【発明の効果】
【０００７】
本発明は、以上の構成であるから以下の効果が得られる。第１に、各部屋に冷暖房機器を設置しなくても、家屋全体の空気を循環させることにより、部屋ごとの温度差がなくなり、効率的に温度及び湿度を調整することができる。
【０００８】
第２に、家屋の壁、天井及び床下に断熱材を使用することにより、外気の影響を受けずに、快適な温度を保つことができる。また、床下に蓄熱コンクリートを配置することにより、冷暖房機器の使用も抑えることができる。
【０００９】
第３に、床下を含む家屋内全体の空気を淀みなく循環させ、温度を平均化することにより、空気の温度差を起因とする局所的な相対湿度の上昇を抑制することができ、居住者及び家屋構造躯体の健全性の維持に悪影響を及ぼすカビ等の菌類の発生が低減する。
【発明を実施するための最良の形態】
【００１０】
本発明は、家屋内の空気を循環させて温度及び湿度をバランス良く調整するという目的を、断熱材を設置した家屋に、天井付近の空気を吸い込むファンと、前記ファンにパイプを接続し床下まで垂直に配管した通気ダクトと、前記通気ダクトに床下で連設し分岐させて配管した床下送風管と、前記床下送風管の空気の熱を吸収又は放出して温度を調整する蓄熱コンクリートと、前記床下送風管の送気口がある位置の床に空けた空気噴出口とを設け、前記ファンと前記空気噴出口との間で家屋内の空気を循環させることで実現した。
【実施例１】
【００１１】
以下に、添付図面に基づいて、本発明である循環型空調方式について詳細に説明する。図１は、本発明である循環型空調方式の斜視図である。
【００１２】
循環型空調方式１は、天井付近の空気６をファン５で吸い込み、内壁２ｇ内を垂直に配管した通気ダクト５ａにより、床下２ｋに配置された床下送風管５ｂに送り、空気噴出口２ｆから吹き出すことにより、空気６を循環させ、家屋２全体の温度を平均化する仕組みである。
【００１３】
尚、床下２ｋには、蓄熱コンクリート４を敷き、家屋２内の温度の変化が小さくなるようにする。即ち、蓄熱コンクリート４が、昼間など暑いときには熱を吸収し、夜間など寒いときには熱を放出することにより、家屋２内の一日における最高温度と最低温度の差を小さくすることができる。
【００１４】
また、屋根２ａと天井２ｂの間には天井断熱材３、外壁２ｊと内壁２ｇの間には壁断熱材３ａ、基礎２ｉと蓄熱コンクリート４の間には床下断熱材３ｂを設置し、家屋２内の空気６の温度が、外気の温度の影響を受けないように保護する。
【００１５】
図２は、本発明である循環型空調方式の断面図であり、図３は、従来の家屋の断面図である。尚、冷暖房機器７ａについては、暖房や冷房以外に、除湿などの場合でも同様である。
【００１６】
図３に示すように、従来の家屋２は、部屋７が壁などの仕切り７ｂで区切られており、窓２ｈやドアなどで密閉して、冷暖房機器７ａを使用している部屋７のみの温度調整をしていることが多く、それ以外の場所との温度差が大きい。
【００１７】
窓２ｈやドアなどの開閉が多いと、暖気又は冷気が逃げてしまう。全ての部屋７を空調しようとすると、全ての部屋７に冷暖房機器７ａを設置する必要があり、コスト的に非常に効率が悪い。
【００１８】
また、冬季は、部屋７内において、天井２ｂ付近に暖かい空気６が集まりやすく、床２ｅ付近は寒くなりがちである。特に、床下２ｋには通気口２ｌが空いていることが多く、地面９や外気の温度の影響を受けて冷えやすい。
【００１９】
それに対し、循環型空調方式１を導入した家屋２は、図１又は図２に示すように、全ての部屋７の空気６を二階天井２ｂへ流れるようにし、ファン５で吸い込んで通気ダクト５ａにより床下２ｋまで送り、一階床２ｅに空けた空気噴出口２ｆから吹き出すことにより、空気６を循環させる。
【００２０】
部屋７の空気６は出入りしやすいように、仕切り７ｂや二階床２ｃの気密性を弱くし、一階の空気６は、吹抜け２ｄから二階に昇るようにする。二階天井２ｂ付近の高い位置にファン５を設置し、空気６を吸引することで、一階から二階への空気６の流れを作る。
【００２１】
ただし、家屋２の基礎２ｉや外壁２ｊの気密性は高くし、家屋２内に外気が入りづらいようにする。また、天井断熱材３、壁断熱材３ａ及び床下断熱材３ｂを設置して、家屋２内の空気６が外気の影響を受けないようにする。
【００２２】
天井断熱材３、壁断熱材３ａ及び床下断熱材３ｂは、隙間なく連設された断熱材であり、家屋２内の温度を保持することができる。尚、床下断熱材３ｂについては、蓄熱コンクリート４及び家屋２の荷重の一部を支えるために、高発泡の素材を使用することが好ましい。
【００２３】
ファン５には通気ダクト５ａを接続する。通気ダクト５ａは、壁断熱材３ａと内壁２ｇの間に、二階天井２ｂから床下２ｋに至るパイプを垂直に通したもので、床下２ｋに張り巡らされた床下送風管５ｂと繋がる。
【００２４】
床下送風管５ｂは、床下２ｋにおいて複数に分岐しており、一階の複数の部屋７又は複数の箇所へ延びており、床下送風管５ｂの先端である送気口の位置に該当する一階床２ｅには、空気噴出口２ｆが空けられる。
【００２５】
本発明は、空気６の循環により菌類等の発生を抑制することができるが、ファン５にフィルターを設けても良い。ファン５にフィルターを設けた場合には、空気６から粉塵や菌類を除去することができる。
【００２６】
床下２ｋには、床下断熱材３ｂと床下送風管５ｂの間に、蓄熱コンクリート４が敷かれており、床下送風管５ｂから出てくる空気６は、温度が高ければ熱が吸収され、温度が低ければ熱を与えられて、常に同程度の温度に調整される。
【００２７】
一階床２ｅに複数設けられた空気噴出口２ｆから適温の空気６が噴き出し、各部屋７の温度も均一化する。例えば、冬季に部屋７にいた人８が、トイレ７ｃに入っても寒い思いをせずに済む。
【００２８】
一階床２ｅの空気噴出口２ｆから噴き出した空気６は、二階天井２ｂ付近のファン５の吸引により、一階から二階への空気６の流れが生じる。ファン５からは床下２ｋまでの流れが出来ており、空気６の循環が継続する。
【００２９】
家屋２の内外で換気するだけでは隅々まで空気６を入れ換えることは困難であったが、本発明では家屋２内の隅々に至る空気６の流れを作ることができ、家屋２内の温度及び湿度が平均化するので、局所的に湿度が上昇したとしても、空気６の流れにより発生した湿気を容易に除去することができ、カビ等の菌類の増殖を抑制することができる。
【００３０】
尚、１つの部屋７に設置した冷暖房機器７ａで家屋２全体を徐々に暖めることもできるし、また、冷暖房機器７ａを設置した部屋７を密閉してその部屋７だけを暖めることもできる。ただし、局所的な相対湿度の上昇を誘引することのないよう配慮が必要である。
【００３１】
空気６を循環させることにより、冷暖房機器７ａなどの空調設備を補助的に使用するだけで、家屋２内の全ての部屋７の温度や湿度を均等に、暑くもなく寒くもない快適な環境に制御することができるようになる。
【００３２】
本発明は、夏季においては床下乾燥効果を有し、冬季においては床下暖房効果を有し、通年においては空気清浄効果を有しており、年間を通して温度及び湿度を快適に調整することができる。
【００３３】
図４は、本発明である循環型空調方式で使用するファンの斜視図である。ファン５としては、シロッコファンやターボファン等を利用する。
【００３４】
図４に示すように、シロッコファンは、円筒状の枠体の円周部に幅の狭い縦長の羽が多数付いている遠心ファンであり、回転することにより、中心から円周方向に送風することができる。
【００３５】
また、ターボファンは、円筒状の枠体の円周部に幅の広い羽が後向きに付いている遠心ファンであり、回転することにより、中心から円周方向に送風することができる。尚、これ以外のファン５を使用することも可能である。
【００３６】
以上のように、本発明である循環型空調方式は、各部屋に冷暖房機器を設置しなくても、家屋全体の空気を循環させることにより、部屋ごとの温度差がなくなり、効率的に温度及び湿度を調整することができる。
【００３７】
家屋の壁、天井及び床下に断熱材を使用することにより、外気の影響を受けずに、快適な温度を保つことができる。また、床下に蓄熱コンクリートを配置することにより、冷暖房機器の使用も抑えることができる。
【００３８】
床下を含む家屋内全体の空気を淀みなく循環させ、温度を平均化することにより、空気の温度差を起因とする局所的な相対湿度の上昇を抑制することができ、居住者及び家屋構造躯体の健全性の維持に悪影響を及ぼすカビ等の菌類の発生が低減する。
【図面の簡単な説明】
【００３９】
【図１】本発明である循環型空調方式の斜視図である。
【図２】本発明である循環型空調方式の断面図である。
【図３】従来の家屋の断面図である。
【図４】本発明である循環型空調方式で使用するファンの斜視図である。
【符号の説明】
【００４０】
１        循環型空調方式
２        家屋
２ａ      屋根
２ｂ      二階天井
２ｃ      二階床
２ｄ      吹抜け
２ｅ      一階床
２ｆ      空気噴出口
２ｇ      内壁
２ｈ      窓
２ｉ      基礎
２ｊ      外壁
２ｋ      床下
２ｌ      通気口
３        天井断熱材
３ａ      壁断熱材
３ｂ      床下断熱材
４        蓄熱コンクリート
５        ファン
５ａ      通気ダクト
５ｂ      床下送風管
６        空気
７        部屋
７ａ      冷暖房機器
７ｂ      仕切り
７ｃ      トイレ
８        人
９        地面
【図１】
2008107053.tif 000003
【図２】
2008107053.tif 000004
【図３】
2008107053.tif 000005
【図４】
2008107053.tif 000006